(57)【要約】【課題】加熱面側から非加熱面側へ扉体を伝わって熱が伝達されることを抑制する。【解決手段】四周状のフレームを含む骨材（フレーム３、４、５、６、４´、５´）と、四周状のフレーム３〜６に固定された表面材２０、２１と、表面材２０、２１に囲まれた空間に充填された耐火芯材からなり、前記耐火芯材は、前記四周状のフレームに囲まれた部位に設けた主耐火芯材（ブロック８Ａ〜８Ｄ）を含み、主耐火芯材（ブロック８Ａ〜８Ｄ）の見付面には吸熱層ａ１、ａ２が設けてある。【選択図】図３
2020159123.tif 000002
【特許請求の範囲】
【請求項１】
四周状のフレームを含む骨材と、
前記四周状のフレームに固定された表面材と、
前記表面材に囲まれた空間に充填された耐火芯材と、
からなり、
前記耐火芯材は、前記四周状のフレームに囲まれた部位に設けた主耐火芯材を含み、
前記主耐火芯材の見付面には吸熱層が設けてある、
防火扉。
【請求項２】
前記主耐火芯材は、２枚以上の板状の耐火材から多層に形成されており、前記耐火材の見付面同士は吸熱層を介して接触ないし近接している、
請求項１に記載の防火扉。
【請求項３】
前記主耐火芯材の見込面の一部あるいは全部には吸熱層が設けてある、
請求項１、２いずれか１項に記載の防火扉。
【請求項４】
前記主耐火芯材は、扉体の高さ方向に複数段で設けてあり、前記骨材は、前記複数の主耐火芯材の間に設けた中横フレームを含む、
請求項１〜３いずれか１項に記載の防火扉。
【請求項５】
前記骨材は、前記扉体の戸先側に設けた中縦フレームを含み、前記主耐火芯材は、前記四周状のフレームの上フレーム、下フレーム、戸尻側縦フレーム、前記中縦フレームに囲まれた部位に設けてある、
請求項１〜４いずれか１項に記載の防火扉。
【請求項６】
前記耐火芯材は、前記骨材の内部に充填された内側耐火芯材を含み、前記内側耐火芯材と前記骨材の内面の間に吸熱層が設けあり、前記内側耐火芯材と前記骨材の内面は吸熱層を介して接触している、
請求項１〜５いずれか１項に記載の防火扉。
【請求項７】
前記耐火芯材は、前記骨材の見付面と前記表面材の間に位置する外側耐火芯材を含んでいる、
請求項１〜６いずれか１項に記載の防火扉。
【発明の詳細な説明】
【技術分野】
【０００１】
本発明は、防火扉に関するものである。
【背景技術】
【０００２】
近年、防火戸には防火性能に限らず、避難時に有害となる火災側から非火災側への熱の伝達を防ぐよう遮熱性能が要求される傾向にある。
【０００３】
防火戸は、扉体とドア枠から構成されるが、一般に、扉体の構造は、表面材と力骨及び中骨からなり、表面材に対して四周に力骨を固定し、高さ方向に延びる中骨を幅方向に等間隔で設ける。さらに、遮熱性能を付与する場合には、扉体内部に断熱材や耐火材を芯材として充填することが考えられるが、表面材、力骨、中骨は金属製（典型的には鋼製）なので、火災側の温度が上昇すると、扉体自体を媒介して輻射、対流、伝導により、火災側の熱が非火災側へ伝達されてしまうおそれがある。これによって、熱を受けた非火災側の可燃物が着火し、火災が拡大するおそれや、防火扉自体の熱により避難経路の通行を妨げてしまうおそれがある。特許文献１に記載された防火扉は、多孔質材及び自由水を含有してなる断熱材を用いることで、火災時に断熱性を確保するようにしている。この手段だと、火災側から非火災側への熱の伝達は、特別な構成の芯材（断熱材）に依存することになる。
【特許文献１】特開２０１６−１６６５０３
【発明の開示】
【発明が解決しようとする課題】
【０００４】
本発明は、加熱面側から非加熱面側へ扉体を伝わって熱が伝達されることを抑制することを目的とする。
【課題を解決するための手段】
【０００５】
かかる課題を解決するべく本発明が採用した技術手段は、
四周状のフレームを含む骨材と、
前記四周状のフレームに固定された表面材と、
前記表面材に囲まれた空間に充填された耐火芯材と、
からなり、
前記耐火芯材は、前記四周状のフレームに囲まれた部位に設けた主耐火芯材を含み、
前記主耐火芯材の見付面には吸熱層が設けてある、
防火扉、である。
【０００６】
１つの態様では、前記吸熱層は、加熱によって吸熱効果を呈する吸熱材によって形成されている。
１つの態様では、前記吸熱材は、吸熱塗料であり、前記吸熱層は、塗布された吸熱塗料によって形成される。
１つの態様では、前記吸熱材は、水酸化アルミニウムを含有している。
１つの態様では、前記主耐火芯材と前記表面材は吸熱層を介して接触している。
１つの態様では、前記主耐火芯材は、耐火性の断熱材からなる。
１つの態様では、前記断熱材は、ロックウールである。
【０００７】
１つの態様では、前記主耐火芯材は、２枚以上の板状の耐火材から多層に形成されており、前記耐火材の見付面同士は吸熱層を介して接触ないし近接している。
１つの態様では、前記板状の耐火材は、ロックウールである。
１つの態様では、前記主耐火芯材の見込面の一部あるいは全部には吸熱層が設けてある。
【０００８】
１つの態様では、前記主耐火芯材は、扉体の高さ方向に複数段で設けてあり、前記骨材は、前記複数の主耐火芯材の間に設けた中横フレームを含む。
中横フレームを設けることで、扉体内部に充填した主耐火芯材が脱落して扉体内部の上方に隙間が生じることを防止する。扉体内部の上方に隙間が生じると、熱気が対流して非火災側の温度上昇を招くおそれがある。
１つの態様では、前記骨材は、前記扉体の戸先側に設けた中縦フレームを含み、前記主耐火芯材は、前記四周状のフレームの上フレーム、下フレーム、戸尻側縦フレーム、前記中縦フレームに囲まれた部位に設けてある。
１つの態様では、かかる部位は中横フレームによって上下に区画されており、主耐火芯材が扉体の高さ方向に複数段で設けられる。
【０００９】
１つの態様では、前記耐火芯材は、前記骨材の内部に充填された内側耐火芯材を含み、前記内側耐火芯材と前記骨材の内面の間に吸熱層が設けあり、前記内側耐火芯材と前記骨材の内面は吸熱層を介して接触している。
１つの態様では、前記主耐火芯材の見込面には吸熱層が形成されており、前記主耐火芯材の見込面は、吸熱層を介して、前記内側耐火芯材が充填された前記骨材の見込面と当接している。
１つの態様では、前記内側耐火芯材は、耐火性の断熱材からなる。
１つの態様では、前記断熱材は、ロックウールである。
【００１０】
１つの態様では、前記耐火芯材は、前記骨材の見付面と前記表面材の間に位置する外側耐火芯材を含んでいる。
１つの態様では、前記外側耐火芯材は、ケイ酸カルシウム板である。
１つの態様では、前記防火扉の戸先側部位には錠前が内蔵されており、前記四周状のフレームの戸先側縦フレームを形成する骨材の見付面と前記表面材との間に位置する戸先側の外側耐火芯材は、前記見付面を越えて扉体中央側に延びており、前記錠前の設置位置と表面材との間に位置するように延びている。
【００１１】
１つの態様では、前記外側耐火芯材の間には、前記錠前の上下に位置して、前記戸先側の外側耐火芯材の間には戸先側内部耐火芯材が設けてある。
１つの態様では、前記戸先側内部耐火芯材は、中央の第１要素（例えば、ロックウール）と、第１要素を挟むように設けた第２要素（ケイ酸カルシウム板）とからなり、前記第１要素と前記第２要素は吸熱層を介して接触しており、前記第２要素は、前記外側耐火芯材に接触している。
【発明の効果】
【００１２】
本発明に係る防火扉において、四周状のフレームに囲まれた部位に設けた主耐火芯材
の見付面に吸熱層を設けることで、火災時の熱による吸熱反応によって、加熱面側から非加熱面側へ扉体を伝わって熱が伝達されることを抑制することができる。
【００１３】
本発明に係る防火扉において、さらに、扉体を構成する各要素の当接面に位置して吸熱層を設けることで、火災時の熱による吸熱反応によって、加熱面側から非加熱面側へ各要素を伝わって熱が伝達されることを抑制することができる。
【図面の簡単な説明】
【００１４】
【図１】ドア装置を室外側から見た正面図である。
【図２】図１に係るドア装置のＡ−Ａ縦断面図である。
【図３】図１に係るドア装置のＢ−Ｂ縦断面図である。
【図４】図１に係るドア装置のＣ−Ｃ横断面図である。
【図４Ａ】図４の戸先側部位の拡大図である。
【図５】図１に係るドア装置のＤ−Ｄ横断面図である。
【図６】第２耐火芯材が充填された骨材と第３耐火芯材のブロックを示す図である。
【図７】第１耐火芯材を示す図である。
【図８】第４耐火芯材を示す図である。
【図９】多層構造の第１耐火芯材における吸熱層の遮熱効果を示すモデル図であって、左図は、各層の境界に吸熱層を設けたモデル、右図は、第１耐火芯材の表面にのみ吸熱層を設けたモデルを示す。
【発明を実施するための形態】
【００１５】
［Ａ］ドア装置の全体構成
図１は実施形態に係るドア装置を室外側から見た正面図であって、ドア装置は、縦長方形状のドア枠１と、ドア枠１によって形成された開口部を開閉する扉体２とからなる。本実施形態では、扉体２は遮熱扉ないし防火扉であり、ドア装置は防火性能が要求される開口部に設置される。
【００１６】
ドア枠１は、上枠１０、下枠１１、戸先側縦枠１２、戸尻側縦枠１３から縦長方形状に形成されている。上枠１０、戸先側縦枠１２、戸尻側縦枠１３には、扉体２の開放側に向かって開口する溝部が三方に亘って形成されており、溝部には、気密ゴムからなる上側気密部材Ｓ１（図３参照）、戸先側気密部材Ｓ２、戸尻側気密部材Ｓ３（図５参照）が設けてあり、上側気密部材Ｓ１、戸先側気密部材Ｓ２、戸尻側気密部材Ｓ３が三方の戸当たり部となっている。開口部全閉時には、閉鎖姿勢にある扉体２の上面、下面、戸先側見込面、戸尻側見込面がそれぞれ、上枠１０、下枠１１、戸先側縦枠１２、戸尻側縦枠１３の見込面に近接対向しており、扉体２の三方（戸先側部位、戸尻側部位、上側部位）の周縁部位が上側気密部材Ｓ１、戸先側気密部材Ｓ２、戸尻側気密部材Ｓ３に当接するようになっている。
【００１７】
本実施形態に係る扉体２は、四周状のフレームを含む金属製の骨材と、四周状のフレームに固定された金属製の第１表面材２０及び第２表面材２１と、第１表面材２０及び第２表面材２１に囲まれた空間に充填された耐火芯材と、から構成されている。本実施形態に係る耐火芯材は、扉体２の内部空間において最も大きな容積を占める第１耐火芯材ないし主耐火芯材（ロックウールＲＷ１〜３からなるブロック８Ａ〜８Ｄ）、第２耐火芯材（各骨材の内部空間に充填されたロックウールＲＷ４〜ＲＷ７、ＲＷ１２、ＲＷ１３）、第３耐火芯材（各骨材と第１表面材２０、第２表面材２１との間に配置された耐火芯材７Ａ〜７Ｌ）、第４耐火芯材（ロックウールＲＷ８〜ＲＷ１１と耐火芯材７Ｅ´、７Ｆ´からなるブロック１４Ａ〜１４Ｄ）を含む。
【００１８】
骨材は、四周状のフレームを形成する上フレーム３、下フレーム４、戸先側縦フレーム５、戸尻側縦フレーム６と、扉体２の戸先側に設けられた１本の縦中骨すなわち中縦フレーム５´と、中縦フレーム５´と戸尻側縦フレーム６の間の空間に設けられた３本の横中骨すなわち中横フレーム４´とからなる。戸先側縦フレーム５と中縦フレーム５´の間の空間には、所定高さに位置して錠前（第１錠２４、第２錠２５、第３錠２６）が収容されている。
【００１９】
第１表面材２０は、薄肉の鋼鈑を折り曲げて形成されており、扉体２の室外側見付面を形成する主面部２００と、主面部２００の周辺部位を折り曲げて形成された上辺２０１、下辺２０２、戸先側の第１側辺２０３、戸尻側の第２側辺２０４と、からなる。以下の説明では、扉体２の１つの構成要素として当該扉体２を構成する第１表面材２０の主面部２００を第１見付面２００と称する。
【００２０】
第２表面材２１は、薄肉の鋼鈑を折り曲げて形成されており、扉体２の室内側見付面を形成する主面部２１０と、主面部２１０の周辺部位を折り曲げて形成された上辺２１１、下辺２１２、戸先側の第１側辺２１３、戸尻側の第２側辺２１４と、からなる。以下の説明では、扉体２の１つの構成要素として当該扉体２を構成する第２表面材２１の主面部２１０を第２見付面２１０と称する。
【００２１】
第１表面材２０の上辺２０１と第２表面材２１の上辺２１１は、上フレーム３（上面部３２）に固定されており、第１表面材２０の上辺２０１と第２表面材２１の上辺２１１から扉体２の上面が形成されており、第１表面材２０の下辺２０２と第２表面材２１の下辺２１２は、下フレーム４（下面部４２）に固定されており、第１表面材２０の下辺２０２と第２表面材２１の下辺２１２から扉体２の下面が形成されており、第１表面材２０の第１側辺２０３と第２表面材２１の第１側辺２１３は、戸先側縦フレーム５（見込面部５２）に固定されており、第１表面材２０の第１側辺２０３と第２表面材２１の第１側辺２１３から扉体２の戸先側見込面が形成されており、第１表面材２０の第２側辺２０４と第２表面材２１の第２側辺２１４は、戸尻側縦フレーム６（見込面部６２）に固定されており、第１表面材２０の第２側辺２０４と第２表面材２１の第２側辺２１４から扉体２の戸尻側見込面が形成されている。
【００２２】
図１に示すように、扉体２は、戸尻側部位に設けた丁番２２によってドア枠１の戸尻側縦枠１３に回動可能に支持されている。扉体２の室外側見付面（第１表面材２０の第１見付面２００）、室内側見付面（第２表面材２１の第２見付面２１０）の戸先側部位にはハンドル２３（室内側見付面のハンドルについては図示せず）が設けてある。扉体２の戸先側部位には、高さ方向の中間に位置して第１錠２４が内蔵されている。さらに、扉体２の戸先側部位の上方部位に位置して第２錠２５、下方部位に位置して第３錠２６が内蔵されている。
【００２３】
第１錠２４は、所定厚さ（見込寸法）及び所定幅（見付寸法）を備え、正面視方形状の錠ケース２４０と、錠ケース２４０に内蔵されたラッチ、デッドボルトを備えている。ドア枠１の戸先側縦枠１２の見込面１２０（図４（Ａ）参照）の所定高さには、第１錠２４のストライクが設けてある。ラッチは付勢手段によって扉体２の戸先側見付面から突出してストライクのラッチ受孔に係止して扉体２の閉鎖姿勢を維持し、ハンドル２３の回動操作に連動して突出したラッチを扉体２の戸先側見込面内に退避させて係止状態を解錠することで扉体２を開放させる。デッドボルトは、扉体２の室内側見付面に設けた操作つまみ（図示せず）の回動、室外側見付面に設けた鍵孔２４１に挿入した鍵の回動によって、ストライクのデッドボルト受孔に対して係止姿勢と解除姿勢をとるようになっている。
【００２４】
第２錠２５は、所定厚さ（見込寸法）及び所定幅（見付寸法）を備え、正面視方形状の錠ケース２５０と、錠ケース２５０に内蔵されたラッチを備えており、デッドボルトは備えていない。第３錠２６は、所定厚さ（見込寸法）及び所定幅（見付寸法）を備え、正面視方形状の錠ケース２６０と、錠ケース２６０に内蔵されたラッチを備えており、デッドボルトは備えていない。本実施形態では、第１錠２４の錠ケース２４０、第２錠２５の錠ケース２５０、第３錠２６の錠ケース２６０は、同じ厚さ（見込寸法）及び幅（見付寸法）を備えている。ドア枠１の戸先側縦枠１２の見込面の上方部位には第２錠２５のラッチのストライクが設けてあり、下方部位には第３錠２６のラッチのストライクが設けてある。第２錠２５及び第３錠２６のラッチは付勢手段によって扉体２の戸先側見付面から突出してストライクのラッチ受孔に係止して扉体２の閉鎖姿勢を維持している。本実施形態では、開口部全閉姿勢時に扉体２が高さ方向の３箇所においてラッチでドア枠１の戸先側縦枠１２に係止することによって、火災時の熱による扉体２の反りを可及的に防止し、扉体２とドア枠１との間に防火ないし防煙及び遮熱において不利な隙間が形成されることを防止する。
【００２５】
ハンドル２３の回動と第１錠２４のラッチ、第２錠２５のラッチ、第３錠２６のラッチの動作は連動しており、扉体２の閉鎖状態において、水平姿勢にあるハンドル２３を下方に回動させることで、ラッチ受孔に対して係止姿勢（突出姿勢）にある第１錠２４のラッチ、第２錠２５のラッチ、第３錠２６のラッチが扉体２の戸先側見付面内に退避する方向に移動して解除姿勢（退避姿勢）となり、したがって、扉体２の閉鎖姿勢時において、ハンドル２３の回動操作に連動して突出姿勢にある３本のラッチを扉体２の戸先側見付面内に同時に退避させて係止状態を解錠することで扉体２を開放させる。
【００２６】
より具体的には、第１錠２４と第２錠２５の間、第１錠２４と第３錠２６の間は扉体２内を垂直姿勢で延びるロッド（図示せず）によって連動連結されており、ロッドの下動あるいは上動に連動して、係止姿勢にあるラッチが解除姿勢となる。このようないわゆる３点ラッチ錠は、例えば、特開２０１３−７２１７９号、特開２０１３−２４９６４４号に開示されており、ロッドとラッチの具体的な連動構成例についてはこれらの文献の記載を参照することができる。本実施形態では、デッドボルト及びラッチを備えた第１錠２４、ラッチのみを備えた第２錠２５、第３錠２６の合計３つの錠を用いているが、第１錠２４のみの１つの錠でもよく、あるいは、４つ以上の錠を採用してもよい。
【００２７】
扉体２の上面、下面、戸先側見込面、戸尻側見込面には、第１表面材２０の上辺２０１と第２表面材２１の上辺２１１との間、第１表面材２０の下辺２０２と第２表面材２１の下辺２１２との間、第１表面材２０の第１側辺２０３と第２表面材２１の第１側辺２１３との間、第１表面材２０の第２側辺２０４と第２表面材２１の第２側辺２１４との間に跨るように熱膨張耐火部材１６（図４（Ａ）に代表して示す）が設けてあり、螺子１７（図４（Ａ）に代表して示す）によって、上辺２０１、２１１と共に上フレーム３の上面部３２に固定され、下辺２０２、２１２と共に下フレーム４の下面部４２に固定され、戸先側の第１側辺２０３、２１３と共に戸先側縦フレーム５の見込面部５２に固定され、戸尻側の第２側辺２０４、２１４と共に戸尻側縦フレーム６の見込面部６２に固定される。火災時には、火災時の熱で熱膨張耐火部材１６が発泡して膨張することで、扉体２の上面、戸先側見込面、戸尻側見込面と、ドア枠１の上枠１０、戸先側縦枠１２、戸尻側縦枠１３の見込面との間の隙間を塞ぐようになっている。
【００２８】
本実施形態に係る扉体２は、加熱面側から非加熱面側へ表面材や骨材を伝わって熱が伝達されることを抑制するために、内部空間には、断熱性の耐火芯材が充填されている。本実施形態に係る耐火芯材は、第１表面材２０、第２表面材２１に囲まれた扉体２の内部空間において、上フレーム３と、下フレーム４と、中横フレーム４´と、中縦フレーム５´と、戸尻側縦フレーム６で囲まれた空間に位置して、扉体２のほぼ全厚に亘って設けた第１耐火芯材（ロックウールＲＷ１〜ＲＷ３からなるブロック８Ａ〜８Ｄ）と、各骨材（上フレーム３、下フレーム４、戸先側縦フレーム５、戸尻側縦フレーム６、中縦フレーム５´、中横フレーム４´）の内部に充填された第２耐火芯材（ロックウールＲＷ４〜ＲＷ７、ＲＷ１２、ＲＷ１３）と、各骨材（上フレーム３、下フレーム４、戸先側縦フレーム５、戸尻側縦フレーム６、中縦フレーム５´、中横フレーム４´）の見付面と第１表面材２０の主面部２００、第２表面材２１の主面部２１０との間に位置して設けた第３耐火芯材７（７Ａ〜７Ｌ）と、戸先側縦フレーム５と中縦フレーム５´の間の空間に位置して、第３耐火芯材７（７Ｅ、７Ｆ）と第１錠２４、第２錠２５、第３錠２６との間に位置して設けた第４耐火芯材（７Ｅ´、７Ｆ´、ＲＷ８〜ＲＷ１１からなるブロック１４Ａ〜１４Ｄ）とからなる。
【００２９】
第１耐火芯材は、ロックウールＲＷ１〜ＲＷ３から組み立てられたブロック８Ａ、ブロック８Ｂ、ブロック８Ｃ、ブロック８Ｄとして用意される。第２耐火芯材（ロックウールＲＷ４、ＲＷ５、ＲＷ７、ＲＷ１２〜ＲＷ１３）が充填された各骨材（上フレーム３、下フレーム４、戸尻側縦フレーム６、中縦フレーム５´、中横フレーム４´）と第３耐火芯材７（７Ａ〜７Ｌ、７Ｅ、７Ｆを除く）をそれぞれ組み立てることでブロック９Ａ〜９Ｅが用意される。第４耐火芯材は、ＲＷ８〜ＲＷ１１、７Ｅ´、７Ｆ´から組み立てられたブロック１４Ａ〜１４Ｄとして用意され、ロックウールＲＷ６が充填された戸先側縦フレーム５、第３耐火芯材（７Ｅ、７Ｆ）及び第１錠２４、第２錠２５、第３錠２６と共に扉体２の戸先側部位（錠前に対応する見付幅）の内部空間に設けられる。
【００３０】
本実施形態に係る防火扉では、以下に詳述するように、四周状のフレームに囲まれた部位に設けた第１耐火芯材の各ロックウールＲＷ１〜ＲＷ３の見付面に吸熱層ａ１〜ａ６を設けることで、火災時の熱による吸熱反応によって、加熱面側から非加熱面側へ扉体を伝わって熱が伝達されることを抑制する。さらに、扉体の芯材を構成する各要素の当接面に位置して吸熱層ａ７〜ａ１６を設けることで、火災時の熱による吸熱反応によって、加熱面側から非加熱面側へ各要素を伝わって熱が伝達されることを抑制する。
【００３１】
［Ｂ］第２耐火芯材が充填された骨材
本実施形態に係る扉体２の骨材は、上フレーム３、下フレーム４、戸先側縦フレーム５、戸尻側縦フレーム６からなる四周の力骨と、扉体２の戸先側に位置する縦中骨すなわち中縦フレーム５´と、横中骨すなわち中横フレームと４´、からなる。各骨材ないしフレーム３〜６、５´、４´は、金属製（典型的には鋼製）で断面視コ字形状の長尺部材であり、凹状の内部空間には断熱材としてロックウールＲＷ４〜ＲＷ７、ＲＷ１２、ＲＷ１３が充填されている。ロックウールＲＷ４〜ＲＷ７、ＲＷ１２、ＲＷ１３は第２耐火芯材を構成している。以下、第２耐火芯材が充填された骨材の構成について、主として図６を参照しつつ、詳細に説明する。
【００３２】
扉体２の上フレーム３は、第１見付面部３０と、第２見付面部３１と、上面部３２とから断面視コ字状に形成されている。第１見付面部３０と、第２見付面部３１と、上面部３２とから形成された凹部内には充填材としてのロックウールＲＷ４が充填されている。ロックウールＲＷ４の表面には、下面を除いて吸熱塗料が塗布されており、上フレーム３の内面とロックウールＲＷ４との間には吸熱層ａ１１、ａ１２、ａ１３が形成されており、上フレーム３の内面とロックウールＲＷ４は吸熱層ａ１１、ａ１２、ａ１３を介して接している。
【００３３】
扉体２の下フレーム４は、第１見付面部４０と、第２見付面部４１と、下面部４２とから断面視コ字状に形成されている。第１見付面部４０と、第２見付面部４１と、下面部４２とから形成された凹部内には充填材としてのロックウールＲＷ５が充填されている。ロックウールＲＷ４の表面には、上面を除いて吸熱塗料が塗布されており、下フレーム４の内面とロックウールＲＷ５との間には吸熱層ａ１１、ａ１２、ａ１３が形成されており、下フレーム４の内面とロックウールＲＷ５は吸熱層ａ１１、ａ１２、ａ１３を介して接している。
【００３４】
扉体２の戸先側縦フレーム５は、第１見付面部５０と、第２見付面部５１と、見込面部５２とから断面視コ字状に形成されている。第１見付面部５０と、第２見付面部５１と、見込面部５２とから形成された凹部内には充填材としてのロックウールＲＷ６が充填されている。ロックウールＲＷ６の表面には、戸尻側見込面を除いて吸熱塗料が塗布されており、戸先側縦フレーム５の内面とロックウールＲＷ６との間には吸熱層ａ１１、ａ１２、ａ１３（図６を援用）が形成されており、戸先側縦フレーム５の内面とロックウールＲＷ６は吸熱層ａ１１、ａ１２、ａ１３を介して接している。戸先側縦フレーム５の第１見付面部５０と、第２見付面部５１の高さ方向の所定部位は、錠ケース２４０、２５０、２６０を受け入れるために切り欠かれており、錠前に対応する内部空間にはロックウールＲＷ６は充填されていない。本実施形態では、戸先側縦フレーム５の見込面部５２の上下端は、第１見付面部５０と、第２見付面部５１の上端、下端をそれぞれ越えて上側延出片、下側延出片（図示せず）が形成されており、それぞれ、上フレーム３の戸先側端面、下フレーム４の戸先側端面に位置して、ロックウールＲＷ４の戸先側端面、ロックウールＲＷ５の戸先側端面に近接対向ないし接触している。
【００３５】
扉体２の戸尻側縦フレーム６は、第１見付面部６０と、第２見付面部６１と、見込面部６２とから断面視コ字状に形成されている。第１見付面部６０と、第２見付面部６１と、見込面部６２とから形成された凹部内には充填材としてのロックウールＲＷ７が充填されている。ロックウールＲＷ７の表面には、戸先側見込面を除いて吸熱塗料が塗布されており、戸尻側縦フレーム６の内面とロックウールＲＷ７との間には吸熱層ａ１１、ａ１２、ａ１３が形成されており、戸尻側縦フレーム６の内面とロックウールＲＷ７は吸熱層ａ１１、ａ１２、ａ１３を介して接している。本実施形態では、戸尻側縦フレーム６の見込面部６２の上下端は、第１見付面部６０と、第２見付面部６１の上端、下端をそれぞれ越えて上側延出片、下側延出片（図示せず）が形成されており、それぞれ、上フレーム３の戸尻側端面、下フレーム４の戸尻側端面に位置して、ロックウールＲＷ４の戸尻側端面、ロックウールＲＷ５の戸尻側端面に近接対向ないし接触している。
【００３６】
中縦フレーム５´は、第１見付面部５０´と、第２見付面部５１´と、見込面部５２´とから断面視コ字状に形成されている。第１見付面部５０´と、第２見付面部５１´と、見込面部５２´とから形成された凹部内には充填材としてのロックウールＲＷ１２が充填されている。ロックウールＲＷ１２の表面には、戸尻側見込面を除いて吸熱塗料が塗布されており、中縦フレーム５´の内面とロックウールＲＷ１２との間には吸熱層ａ１１、ａ１２、ａ１３が形成されており、中縦フレーム５´の内面とロックウールＲＷ１２は吸熱層ａ１１、ａ１２、ａ１３を介して接している。
【００３７】
中横フレーム４´は、第１見付面部４０´と、第２見付面部４１´と、下面部４２´とから断面視コ字状に形成されている。第１見付面部４０´と、第２見付面部４１´と、下面部４２´とから形成された凹部内には充填材としてのロックウールＲＷ１３が充填されている。ロックウールＲＷ１３の表面には、上面を除いて吸熱塗料が塗布されており、中横フレーム４´の内面とロックウールＲＷ１３との間には吸熱層ａ１１、ａ１２、ａ１３が塗布されており、中横フレーム４´の内面とロックウールＲＷ１３は吸熱層ａ１１、ａ１２、ａ１３を介して接している。
【００３８】
吸熱層ａ１１、ａ１２、ａ１３を形成する吸熱材（本実施形態では吸熱塗料）は、加熱によって吸熱作用を呈する物質であり、例えば、吸熱物質として水酸化アルミニウムを含有する塗料である。このような吸熱物質は、例えば、特開２０１４−８８２７７に開示されている。火災時の加熱によって、火災時の高温に晒されることによって、吸熱層ａ１１、ａ１２、ａ１３が吸熱反応することに伴う吸熱効果によって、扉体２の骨材（フレーム３〜６、５´、４´）及びそれらの周辺の温度上昇を抑えることができる。
【００３９】
扉体２の骨材（フレーム３〜６、５´、４´）の内部空間に第２耐火芯材（ロックウールＲＷ４〜ＲＷ７、ＲＷ１２、ＲＷ１３）を充填したことで、骨材（フレーム３〜６、５´、４´）の一方の見付面から他方の見付面への対流による熱の伝達を抑制している。本実施形態では、第２耐火芯材として耐火性の断熱材であるロックウールＲＷ４〜ＲＷ７、ＲＷ１２、ＲＷ１３を開示したが、第２耐火芯材の材質はロックウールに限定されるものではなく、例えば、グラスウールや石膏等であってもよい。
【００４０】
［Ｃ］第３耐火芯材
本実施形態では、力骨を形成する四周状のフレームの見込寸法、すなわち、上フレーム３、下フレーム４、戸先側縦フレーム５、戸尻側縦フレーム６の見込寸法は、扉体２の見込寸法（厚さ）よりも小さい寸法となっており、第１表面材２０と四周状のフレームの間、第２表面材２１と四周状のフレームの間には、板状の第３耐火芯材７Ａ〜７Ｈが設けてある。金属製の第１表面材２０、第２表面材２１と金属製の四周状のフレームとの間に第３耐火芯材７Ａ〜７Ｈを挟むことで、扉体２の一方の見付面から他方の見付面への熱伝達を抑制している。
【００４１】
中骨を形成する中縦フレーム５´、中横フレーム４´の見込寸法は、扉体２の見込寸法（厚さ）よりも小さい寸法となっており、第１表面材２０と中縦フレーム５´、中横フレーム４´の間、第２表面材２１と中縦フレーム５´、中横フレーム４´の間には、板状の第３耐火芯材７Ｉ〜７Ｌが設けてある。金属製の第１表面材２０、第２表面材２１と中縦フレーム５´、中横フレーム４´との間に第３耐火芯材７Ｉ〜７Ｌを挟むことで、扉体２の一方の見付面から他方の見付面への熱伝達を抑制している。
【００４２】
本実施形態では、第３耐火芯材７はケイ酸カルシウム板（典型的にはプライマー処理されている）から形成されているが、第３耐火芯材７の材料は限定されず、遮熱性を備えた他の不燃材料を採用してもよい。このような不燃性の耐火材料として、石膏ボード、繊維強化セメント板等を例示することができる。本実施形態に係る第２耐火芯材７について、以下に詳細に説明する。
【００４３】
第３耐火芯材７Ａ〜７Ｌは、扉体２の第１表面材２０、第２表面材２１と、各骨材（フレーム３〜６、５´、４´）の見付面との間に位置して設けられる。本実施形態では、第３耐火芯材７は、第１表面材２０と上フレーム３との間に設けられる耐火芯材７Ａ、第２表面材２１と上フレーム３との間に設けられる耐火芯材７Ｂ、第１表面材２０と下フレーム４との間に設けられる耐火芯材７Ｃ、第２表面材２１と下フレーム４との間に設けられる耐火芯材７Ｄ、第１表面材２０と戸先側縦フレーム５との間に設けられる耐火芯材７Ｅ、第２表面材２１と戸先側縦フレーム５との間に設けられる耐火芯材７Ｆ、第１表面材２０と戸尻側縦フレーム６との間に設けられる耐火芯材７Ｇ、第２表面材２１と戸尻側縦フレーム６との間に設けられる耐火芯材７Ｈ、第１表面材２０と中縦フレーム５´との間に設けられる耐火芯材７Ｉ、第２表面材２１と中縦フレーム５´との間に設けられる耐火芯材７Ｊ、第１表面材２０と中横フレーム４´との間に設けられる耐火芯材７Ｋ、第２表面材２１と中横フレーム４´との間に設けられる耐火芯材７Ｌ、からなる。
【００４４】
第３耐火芯材７Ａ〜７Ｌは、扉体２の幅方向ないし高さ方向に延びる第１見付面及び第２見付面と、周囲の４つの端面、すなわち、上面、下面、長さ方向一端の端面、長さ方向一端の端面と、からなる長尺状の板体である。本実施形態では、耐火芯材７Ａ、７Ｂ、７Ｃ、７Ｄは同一形状・同一寸法の断面形状を備えており、耐火芯材７Ｇ、７Ｈ、７Ｉ、７Ｊは同一形状・同一寸法の断面形状を備えており、耐火芯材７Ｋ、７Ｌは同一形状・同一寸法の断面形状を備えている。耐火芯材７Ｅ、７Ｆは同一形状・同一寸法を備えており、耐火芯材７Ａ、７Ｂ、７Ｃ、７Ｄ、７Ｇ、７Ｈ、７Ｉ、７Ｊ、７Ｋ、７Ｌよりも僅かに小さい見込寸法（厚さ）となっている。耐火芯材７Ａ〜７Ｌは、各骨材（上フレーム３、下フレーム４、戸先側縦フレーム５、戸尻側縦フレーム６、中縦フレーム５´、中横フレーム４´）を挟むように両側の見付面に位置して設けられ、第１見付面が扉体２の第１見付面２００に接触し、第２見付面が各骨材の見付面に接触する。以下、より具体的に説明する。
【００４５】
耐火芯材７Ａ、７Ｂの高さ寸法、見付寸法（幅寸法）は、上フレーム３の高さ寸法、見付寸法と同じであり、耐火芯材７Ａの第１見付面が扉体２の第１見付面２００に接触し、第２見付面が上フレーム３の第１見付面部３０に接触し、耐火芯材７Ｂの第１見付面が扉体２の第２見付面２１０に接触し、第２見付面が上フレーム３の第２見付面部３１に接触している。
【００４６】
耐火芯材７Ｃ、７Ｄの高さ寸法、見付寸法（幅寸法）は、下フレーム４の高さ寸法、見付寸法と同じであり、耐火芯材７Ｃの第１見付面が扉体２の第１見付面２００に接触し、第２見付面が下フレーム４の第１見付面部４０に接触し、耐火芯材７Ｄの第１見付面が扉体２の第２見付面２１０に接触し、第２見付面が下フレーム４の第２見付面部４１に接触している。
【００４７】
耐火芯材７Ｅ、７Ｆの高さ寸法は、戸先側縦フレーム５の高さ寸法と同じであるが、耐火芯材７Ｅ、７Ｆの見付寸法は、戸先側縦フレーム５の見付寸法よりも大きい。耐火芯材７Ｅの第１見付面が扉体２の第１見付面２００に接触し、第２見付面が戸先側縦フレーム５の第１見付面部５０に接触し、耐火芯材７Ｆの第１見付面が扉体２の第２見付面２１０に接触し、第２見付面が戸先側縦フレーム５の第２見付面部５１に接触している。
【００４８】
耐火芯材７Ｇ、７Ｈの見付寸法、高さ寸法は戸尻側縦フレーム６の見付寸法、高さ寸法と同じであり、耐火芯材７Ｇの第１見付面が扉体２の第１見付面２００に接触し、第２見付面が戸尻側縦フレーム６の第１見付面部６０に接触し、耐火芯材７Ｈの第１見付面が扉体２の第２見付面２１０に接触し、第２見付面が戸尻側縦フレーム６の第２見付面部６１に接触している。
【００４９】
耐火芯材７Ｉ、７Ｊの見付寸法、高さ寸法は、中縦フレーム５´の見付寸法、高さ寸法と同じであり、耐火芯材７Ｉの第１見付面が扉体２の第１見付面２００に接触し、第２見付面が中縦フレーム５´の第１見付面部５０´に接触し、耐火芯材７Ｊの第１見付面が扉体２の第２見付面２１０に接触し、第２見付面が中縦フレーム５´の第２見付面部５１´に接触している。
【００５０】
耐火芯材７Ｋ、７Ｌの高さ寸法、見付寸法は、中横フレーム４´の高さ寸法、見付寸法と同じであり、耐火芯材７Ｋの第１見付面が扉体２の第１見付面２００に接触し、第２見付面が中横フレーム４´の第１見付面部４０´に接触し、耐火芯材７Ｌの第１見付面が扉体２の第２見付面２１０に接触し、第２見付面が中横フレーム４´の第２見付面部４１´に接触している。
【００５１】
［Ｄ］第２耐火芯材が充填された骨材と第３耐火芯材からなるブロック
本実施形態では、上フレーム３と耐火芯材７Ａ、７Ｂから上側のブロック９Ａが形成され、下フレーム４と耐火芯材７Ｃ、７Ｄから下側のブロック９Ｂが形成され、戸尻側縦フレーム６と耐火芯材７Ｇ、７Ｈから戸尻側のブロック９Ｃが形成され、中縦フレーム５´と耐火芯材７Ｉ、７Ｊから戸先側の中縦ブロック９Ｄが形成され、中横フレーム４´と耐火芯材７Ｋ、７Ｌから複数の中横ブロック９Ｅが形成されている。このようなブロック９Ａ〜９Ｅを形成することで、扉体２の組立効率を向上させることができる。本明細書において、「ブロック」とは、扉体２の組立に先立って、複数の要素が一体化された塊を意味する。第２耐火芯材が充填された骨材と第３耐火芯材は、接着手段（例えば、両面接着テープや接着剤）によって一体化されてブロックを形成する。図６に示すように、ブロック９Ａ〜９Ｅは、見付面９０、９１、見込面９２、９３、長さ方向端面９４、９５を備えた長尺状の直方体である。
【００５２】
耐火芯材７Ａの上面、耐火芯材７Ｂの上面、上フレーム３の上面部３２からブロック９Ａの上面（見込面９２）が形成されている。耐火芯材７Ａの下面、耐火芯材７Ｂの下面、上フレーム３の第１見付面部３０の下端と、上フレーム３の第２見付面部３１の下端と、上フレーム３に充填されたロックウールＲＷ４の下面からブロック９Ａの下面（見込面９３）が形成されている。耐火芯材７Ａの戸先側端面、耐火芯材７Ｂの戸先側端面、上フレーム３（第１見付面部３０と、第２見付面部３１と、上面部３２）の長さ方向の戸先側端面からブロック９Ａの戸先側見込面（長さ方向端面９４）が形成されており、上フレーム３に充填されたロックウールＲＷ４の戸先側端面は、ブロック９Ａの戸先側見込面の近傍に位置している。耐火芯材７Ａの戸尻側端面、耐火芯材７Ｂの戸尻側端面、上フレーム３（第１見付面部３０と、第２見付面部３１と、上面部３２）の長さ方向の戸尻側端面からブロック９Ａの戸尻側見込面（長さ方向端面９５）が形成されており、上フレーム３に充填されたロックウールＲＷ４の戸尻側端面は、ブロック９Ａの戸尻側見込面の近傍に位置している。なお、戸先側縦フレーム５、戸尻側縦フレーム６の上端に上側延出片を設けない場合には、ロックウールＲＷ４の戸先側端面、戸尻側端面がそれぞれ、ブロック９Ａの戸先側見込面（長さ方向端面９４）、戸尻側見込面（長さ方向端面９５）と一致していてもよい（図６）。
【００５３】
耐火芯材７Ｃの上面、耐火芯材７Ｄの上面、下フレーム４の第１見付面部４０の上端と、下フレーム４の第２見付面部４１の上端と、下フレーム４に充填されたロックウールＲＷ５の上面からブロック９Ｂの上面（見込面９３）が形成されている。耐火芯材７Ｃの下面、耐火芯材７Ｄの下面、下フレーム４の下面部４２からブロック９Ｂの下面（見込面９２）が形成されている。耐火芯材７Ｃの戸先側端面、耐火芯材７Ｄの戸先側端面、下フレーム４（第１見付面部４０と、第２見付面部４１と、下面部４２）の長さ方向の戸先側端面からブロック９Ｂの戸先側見込面（長さ方向端面９４）が形成されており、下フレーム４に充填されたロックウールＲＷ５の戸先側端面は、ブロック９Ｂの戸先側見込面の近傍に位置している。耐火芯材７Ｃの戸尻側端面、耐火芯材７Ｄの戸尻側端面、下フレーム４（第１見付面部４０と、第２見付面部４１と、下面部４２）の長さ方向の戸尻側端面からブロック９Ｂの戸尻側見込面（長さ方向端面９５）が形成されており、下フレーム４に充填されたロックウールＲＷ５の戸尻側端面は、ブロック９Ｂの戸尻側見込面の近傍に位置している。なお、戸先側縦フレーム５、戸尻側縦フレーム６の下端に下側延出片を設けない場合には、ロックウールＲＷ５の戸先側端面、戸尻側端面がそれぞれ、ブロック９Ｂの戸先側見込面（長さ方向端面９４）、戸尻側見込面（長さ方向端面９５）と一致していてもよい（図６）。
【００５４】
耐火芯材７Ｇの戸先側端面、耐火芯材７Ｈの戸先側端面、戸尻側縦フレーム６の第１見付面部６０の戸先側端と、戸尻側縦フレーム６の第２見付面部６１の戸先側端と、戸尻側縦フレーム６に充填したロックウールＲＷ７の戸先側端面からブロック９Ｃの戸先側見込面（見込面９３）が形成されている。耐火芯材７Ｇの戸尻側端面、耐火芯材７Ｈの戸尻側端面、戸尻側縦フレーム６の見込面部６２からブロック９Ｃの戸尻側見込面（見込面９２）が形成されている。耐火芯材７Ｇの上面、耐火芯材７Ｈの上面、戸尻側縦フレーム６（第１見付面部６０と、第２見付面部６１と、見込面部６２）の高さ方向の上端と、ロックウールＲＷ７の上端面からブロック９Ｃの上端面（長さ方向端面９４）が形成されている。耐火芯材７Ｇの下面、耐火芯材７Ｈの下面、戸尻側縦フレーム６（第１見付面部６０と、第２見付面部６１と、見込面部６２）の高さ方向の下端と、ロックウールＲＷ７の下端面からブロック９Ｃの下端面（長さ方向端面９５）が形成されている。
【００５５】
耐火芯材７Ｉの戸尻側端面、耐火芯材７Ｊの戸尻側端面、中縦フレーム５´の第１見付面部５０´の戸尻側端と、中縦フレーム５´の第２見付面部５１´の戸尻側端と、中縦フレーム５´に充填したロックウールＲＷ１２の戸尻側端面からブロック９Ｄの戸尻側見込面（見込面９３）が形成されている。耐火芯材７Ｉの戸先側端面、耐火芯材７Ｊの戸先側端面、中縦フレーム５´の見込面部５２´からブロック９Ｄの戸先側見込面（見込面９２）が形成されている。耐火芯材７Ｉの上面、耐火芯材７Ｊの上面、中縦フレーム５´（第１見付面部５０´と、第２見付面部５１´と、見込面部５２´）の高さ方向の上端と、ロックウールＲＷ１２の上端面からブロック９Ｄの上端面（長さ方向端面９４）が形成されている。耐火芯材７Ｉの下面、耐火芯材７Ｊの下面、中縦フレーム５´（第１見付面部５０´と、第２見付面部５１´と、見込面部５２´）の高さ方向の下端と、ロックウールＲＷ１２の下端面からブロック９Ｄの下端面（長さ方向端面９５）が形成されている。ブロック９Ｄの戸先側見込面には、吸熱層ａ１６が形成されている（図４、図５参照）。吸熱層ａ１６は、ブロック９Ｄの戸先側見込面に吸熱塗料を塗布することで形成される。
【００５６】
耐火芯材７Ｋの上面、耐火芯材７Ｌの上面、中横フレーム４´の第１見付面部４０´の上端と、中横フレーム４´の第２見付面部４１´の上端と、中横フレーム４´に充填されたロックウールＲＷ１３の上面からブロック９Ｅの上面（見込面９３）が形成されている。耐火芯材７Ｋの下面、耐火芯材７Ｌの下面、中横フレーム４´の下面部４２´からブロック９Ｅの下面（見込面９２）が形成されている。耐火芯材７Ｋの戸先側端面、耐火芯材７Ｌの戸先側端面、中横フレーム４´（第１見付面部４０´と、第２見付面部４１´と、下面部４２´）の長さ方向の戸先側端面とロックウールＲＷ１３の戸先側端面からブロック９Ｅの戸先側見込面（長さ方向端面９４）が形成されている。耐火芯材７Ｋの戸尻側端面、耐火芯材７Ｌの戸尻側端面、中横フレーム４´（第１見付面部４０´と、第２見付面部４１´と、下面部４２´）の長さ方向の戸尻側端面とロックウールＲＷ１３の戸尻側端面からブロック９Ｅの戸尻側見込面（長さ方向端面９５）が形成されている。
【００５７】
なお、戸先側縦フレーム５と耐火芯材７Ｅ、７Ｆは扉体２の組立に先立って予め固定されていない。ロックウールＲＷ６が充填された戸先側縦フレーム５においては、戸先側縦フレーム５の第１見付面部５０の戸尻側端と、戸先側縦フレーム５の第２見付面部５１の戸尻側端と、戸先側縦フレーム５に充填されたロックウールＲＷ６から戸尻側見込面が形成されており、第１見付面部５０と、第２見付面部５１と、見込面部５２の高さ方向の上端とロックウールＲＷ６の上端面から上端面が形成され、第１見付面部５０と、第２見付面部５１と、見込面部５２の高さ方向の下端とロックウールＲＷ６の下端面から下端面が形成されている。なお、戸先側縦フレーム５と、耐火芯材７Ｅ、７Ｆの一方のみ（例えば、耐火芯材７Ｅ）を予め固定してブロックを形成してもよい。
【００５８】
［Ｅ］第１耐火芯材
第１耐火芯材は、ロックウールＲＷ１〜ＲＷ３を組み立てて形成されたブロック８Ａ〜８Ｄとして用意される。図７には、ブロック８Ａ〜８Ｄを総称して、「８」で示している。扉体２の第１表面材２０及び第２表面材２１、上フレーム３と、下フレーム４と、中縦フレーム５´と、戸尻側縦フレーム６で囲まれた空間は、当該空間において異なる高さで水平に延びる３本の中横フレーム４´によって４つの空間に区画されており、区画された各空間に、ブロック８Ａ、８Ｂ、８Ｃ、８Ｄが充填されている。本実施形態では、ブロック８Ａ〜８Ｃは同一形状・寸法を備えており、ブロック８Ｄは、ブロック８Ａ〜８Ｃに比べて高さ寸法のみが異なる低背のブロックとなっている。なお、ブロック８Ａ〜８Ｄを均等のブロックから形成してもよい。
【００５９】
第１耐火芯材の構成について、図７に基づいて説明する。ブロック８は、３枚の板状のロックウールＲＷ１、ＲＷ２、ＲＷ３を、見付面同士を重ね合わせることで多層構造となっている。すなわち、本実施形態に係るブロック８は、ロックウールＲＷ１からなる第１層、ロックウールＲＷ２からなる第２層、ロックウールＲＷ３からなる第３層からなる多層構造となっている。
【００６０】
図７に示すように、ブロック８Ａ〜８Ｃは、第１見付面８０、第２見付面８１、上面８２、下面８３、戸先側側面８４、戸尻側側面８５の６面を備えた直方体であり、６面の外面には吸熱塗料が塗布されており、吸熱層ａ１、ａ２、ａ７〜ａ１０が形成されている。本実施形態では、ロックウールＲＷ１、ＲＷ２、ＲＷ３はそれぞれ６面に吸熱塗料が塗布されており、全面に吸熱塗料が塗布されたロックウールＲＷ１、ＲＷ２、ＲＷ３を重ね合わせることでブロック８が形成されており、ロックウールＲＷ１とロックウールＲＷ２の見付面同士、ロックウールＲＷ２とロックウールＲＷ３の見付面同士は、それぞれ吸熱層ａ３、ａ４、吸熱層ａ５、ａ６を介して重なっている。
【００６１】
具体的には、ブロック８の第１見付面８０には吸熱層ａ１が形成されており、第２見付面８１には吸熱層ａ２が形成されており、ロックウールＲＷ１とロックウールＲＷ２の境界には吸熱層ａ３、ａ４が形成されており、ロックウールＲＷ２とロックウールＲＷ３の境界には吸熱層ａ５、ａ６が形成されており、上面８２には吸熱層ａ７が形成されており、下面８３には吸熱層ａ８が形成されており、戸先側側面８４には吸熱層ａ９が形成されており、戸尻側側面８５には吸熱層ａ１０が形成されている。
【００６２】
ブロック８の第１見付面８０は吸熱層ａ１を介して、扉体２の第１見付面（第１表面材２０の主面部２００）と接触しており、ブロック８の第２見付面８１は吸熱層ａ２を介して、扉体２の第２見付面（第２表面材２１の主面部２１０）と接触している。ブロック８の内部には、扉体２の見込方向（厚さ方向）に間隔を存して、吸熱層ａ３、ａ４、吸熱層ａ５、ａ６が形成されている。
【００６３】
図９に、多層構造の第１耐火芯材における吸熱層の遮熱効果を示すモデル図を示す。左図は、各層の境界に吸熱層を設けたモデル、右図は、第１耐火芯材の表面にのみ吸熱層を設けたモデルを示し、各図は、左側を火災側（受熱側）、右側を非火災側とした温度勾配の概念図である。左図では、多層構造の外側の見付面に吸熱層ａ１、ａ２が形成されており、さらに、第１層（ＲＷ１）と第２層（ＲＷ２）、第２層（ＲＷ２）と第３層（ＲＷ３）がそれぞれ吸熱層ａ３、ａ４、吸熱層ａ５、ａ６を介して隣接している。右図では、多層構造の外側の見付面に吸熱層ａ１´、ａ２´が形成されており、第１層（ＲＷ１´）と第２層（ＲＷ２´）、第２層（ＲＷ２´）と第３層（ＲＷ３´）はそれぞれ直接接触している。左図のモデルの第１層（ＲＷ１）、第２層（ＲＷ２）、第３層（ＲＷ３）、右図のモデルの第１層（ＲＷ１´）、第２層（ＲＷ２´）、第３層（ＲＷ３´）は同厚であり、各層（ＲＷ１、ＲＷ２、ＲＷ３、ＲＷ１´、ＲＷ２´、ＲＷ３´）における温度の下げ勾配は層の位置（火災側か非火災側か）に依存せずに実質的に同じである。吸熱層ａ１〜ａ６は同厚であり、ａ１＋ａ３＋ａ４＝ａ１´、ａ２＋ａ５＋ａ６＝ａ２´である。ここで、吸熱層を形成する吸熱材は、例えば、２００度以上で吸熱反応を呈するため、非火災側の温度が２００度程度を想定すると、右図のモデルの吸熱層ａ２´における温度の下げ勾配は比較的小さくなる。これに対して、左図のモデルは、吸熱層の吸熱効果によって各層（特に中間層である吸熱層ａ３〜ａ６）で温度の下げ勾配を大きくすることができ、右図のモデルに比べて、熱の移動速度を遅延させることができると考えられる。
【００６４】
第１耐火芯材を構成するブロック８Ａは、扉体２の第１表面材２０及び第２表面材２１、上フレーム３と、中縦フレーム５´と、戸尻側縦フレーム６と、中横フレーム４´で囲まれた空間に充填されている。ブロック８Ａの第１見付面８０は吸熱層ａ１を介して、扉体２の第１見付面（第１表面材２０の主面部２００）と接触しており、ブロック８Ａの第２見付面８１は吸熱層ａ２を介して、扉体２の第２見付面（第２表面材２１の主面部２１０）と接触している。ブロック８Ａの第１見付面（吸熱層ａ１）と第２見付面（吸熱層ａ２）との間には、耐火性の断熱材としてのロックウールＲＷ１、吸熱層ａ３、ａ４、ロックウールＲＷ２、吸熱層ａ５、ａ６、ロックウールＲＷ３が多層に形成されており、扉体２の第１見付面２００と第２見付面２１０の間の遮熱効果を奏する。
【００６５】
ブロック８Ａの上面はブロック９Ａの下面に吸熱層ａ７を介して接触しており、ブロック８Ａの下面はブロック９Ｅの上面に吸熱層ａ８を介して接触しており、ブロック８Ａの戸先側端面はブロック９Ｄの戸尻側見込面に吸熱層ａ９を介して接触しており、ブロック８Ａの戸尻側端面はブロック９Ｃの戸先側見込面に吸熱層ａ１０を介して接触している。
【００６６】
第１耐火芯材を構成するブロック８Ｂ、８Ｃは、扉体２の第１表面材２０及び第２表面材２１、中縦フレーム５´と、戸尻側縦フレーム６と、２本の中横フレーム４´で囲まれた空間に充填されている。ブロック８Ｂ、８Ｃの第１見付面８０は吸熱層ａ１を介して、扉体２の第１見付面（第１表面材２０の主面部２００）と接触しており、ブロック８Ｂ、８Ｃの第２見付面８１は吸熱層ａ２を介して、扉体２の第２見付面（第２表面材２１の主面部２１０）と接触している。ブロック８Ｂ、８Ｃの第１見付面（吸熱層ａ１）と第２見付面（吸熱層ａ２）との間には、耐火性の断熱材としてのロックウールＲＷ１、吸熱層ａ３、ａ４、ロックウールＲＷ２、吸熱層ａ５、ａ６、ロックウールＲＷ３が設けてあり、扉体２の第１見付面２００と第２見付面２１０の間の遮熱効果を奏する。
【００６７】
ブロック８Ｂ、８Ｃの上面はブロック９Ｅの下面に吸熱層ａ７を介して接触しており、ブロック８Ｂ、８Ｃの下面はブロック９Ｅの上面に吸熱層ａ８を介して接触しており、ブロック８Ｂ、８Ｃの戸先側端面はブロック９Ｄの戸尻側見込面に吸熱層ａ９を介して接触しており、ブロック８Ｂ、８Ｃの戸尻側端面はブロック９Ｃの戸先側見込面に吸熱層ａ１０を介して接触している。
【００６８】
第１耐火芯材を構成するブロック８Ｄは、扉体２の第１表面材２０及び第２表面材２１、中縦フレーム５´と、戸尻側縦フレーム６と、中横フレーム４´と、下フレーム４、で囲まれた空間に充填されている。ブロック８Ｄの第１見付面８０は吸熱層ａ１を介して、扉体２の第１見付面（第１表面材２０の主面部２００）と接触しており、ブロック８Ｄの第２見付面８１は吸熱層ａ２を介して、扉体２の第２見付面（第２表面材２１の主面部２１０）と接触している。ブロック８Ｄの第１見付面（吸熱層ａ１）と第２見付面（吸熱層ａ２）との間には、耐火性の断熱材としてのロックウールＲＷ１、吸熱層ａ３、ａ４、ロックウールＲＷ２、吸熱層ａ５、ａ６、ロックウールＲＷ３が設けてあり、扉体２の第１見付面２００と第２見付面２１０の間の遮熱効果を奏する。
【００６９】
ブロック８Ｄの上面はブロック９Ｅの下面に吸熱層ａ７を介して接触しており、ブロック８Ｄの下面はブロック９Ｂの上面に吸熱層ａ８を介して接触しており、ブロック８Ｄの戸先側端面はブロック９Ｄの戸尻側見込面に吸熱層ａ９を介して接触しており、ブロック８Ｄの戸尻側端面はブロック９Ｃの戸先側見込面に吸熱層ａ１０を介して接触している。
【００７０】
［Ｆ］第４耐火芯材
第４耐火芯材は、ＲＷ８〜ＲＷ１１、７Ｅ´、７Ｆ´から組み立てられたブロック１４Ａ〜１４Ｄとして用意される。図８には、ブロック１４Ａ〜１４Ｄを総称して、「１４」で示している。図８に示すように、第４耐火芯材（ブロック１４Ａ〜１４Ｄ）は、第１見付面１４０、第２見付面１４１、上面１４２、下面１４３、戸先側端面１４４、戸尻側端面１４５を備えた板状のブロックである。本実施形態では、耐火芯材７Ｅ´、７Ｆ´はケイ酸カルシウム板であるが、耐火芯材７Ｅ´、７Ｆ´は、例えば、外面に吸熱層を備えたロックウールから形成してもよい。
【００７１】
第４耐火芯材は、厚さ方向中央の板状体であるロックウールＲＷ８〜ＲＷ１１と、板状体を挟むように設けた耐火芯材７Ｅ´、耐火芯材７Ｆ´とからなり、板状体の第１見付面と耐火芯材７Ｅ´の見付面の間には吸熱層ａ１４が形成されており、板状体の第２見付面と耐火芯材７Ｆ´の見付面の間には吸熱層ａ１５が形成されている。
【００７２】
第４耐火芯材（ブロック１４Ａ〜１４Ｄ）は、第１見付面１４０が耐火芯材７Ｅの内側の見付面に当接し、第２見付面１４１が耐火芯材７Ｆの内側の見付面に当接し、戸先側端面１４４が、ロックウールＲＷ６が充填された戸先側縦フレーム５の戸尻側見込面に当接し、戸尻側端面１４５は、耐火芯材７Ｅ、７Ｆの戸尻側端面と面一になっており、吸熱層ａ１６を介してブロック９Ｄの戸先側見込面に当接する。
【００７３】
第４耐火芯材（ブロック１４Ａ〜１４Ｄ）の見付寸法（幅寸法）、見込寸法（厚さ）は、錠ケース２４０、２５０、２６０の収納空間の見付寸法と見込寸法と略同じであり、ブロック１４Ａ〜１４Ｄは、扉体２の戸先側部位（錠前に対応する見付幅）の内部空間において、錠ケース２４０、２５０、２６０の上下に位置して配置される。また、第４耐火芯材（ブロック１４Ａ〜１４Ｄ）の見込寸法は、戸先側縦フレーム５の見込寸法（本実施形態では、他のフレーム３、４、６、４´、５´の見込寸法よりも僅かに大きい）と略同じである。以下、より具体的に説明する。
【００７４】
ブロック１４Ａは、扉体２の戸先側部位（錠前に対応する見付幅）の内部空間において、上フレーム３、戸先側縦フレーム５、中縦フレーム５´、耐火芯材７Ｅ、７Ｆ、第２錠２５の上面に囲まれた空間に設けられる。ブロック１４Ａの上面は、耐火芯材７Ｅ、７Ｆの上面と面一になっており、耐火芯材７Ｅ、７Ｆの上面とブロック９Ａの下面に当接しており、ブロック１４Ａの下面は、第２錠ケース２５０の上面に当接しており、ブロック１４Ａの第１見付面１４０は、耐火芯材７Ｅの見付面に当接しており、ブロック１４Ａの第２見付面１４１は、耐火芯材７Ｆの見付面に当接しており、ブロック１４Ａの戸先側見込面１４４は、ロックウールＲＷ６が充填された戸先側縦フレーム５の戸尻側見込面に当接しており、ブロック１４Ａの戸尻側見込面１４５は、耐火芯材７Ｅ、７Ｆの戸尻側端面と共に、吸熱層ａ１６を介してブロック９Ｄの戸先側見込面に当接する。
【００７５】
ブロック１４Ｂは、扉体２の戸先側部位（錠前に対応する見付幅）の内部空間において、戸先側縦フレーム５、中縦フレーム５´、耐火芯材７Ｅ、７Ｆ、第２錠２５の下面、第１錠２４の上面に囲まれた空間に設けられる。ブロック１４Ｂの上面は第２錠ケース２５０の下面に当接しており、ブロック１４Ｂの下面は、第１錠ケース２４０の上面に当接しており、ブロック１４Ｂの第１見付面１４０は、耐火芯材７Ｅの見付面に当接しており、ブロック１４Ｂの第２見付面１４１は、耐火芯材７Ｆの見付面に当接しており、ブロック１４Ｂの戸先側見込面１４４は、ロックウールＲＷ６が充填された戸先側縦フレーム５の戸尻側見込面に当接しており、ブロック１４Ｂの戸尻側見込面１４５は、耐火芯材７Ｅ、７Ｆの戸尻側端面と共に、吸熱層ａ１６を介してブロック９Ｄの戸先側見込面に当接する。
【００７６】
ブロック１４Ｃは、扉体２の戸先側部位（錠前に対応する見付幅）の内部空間において、戸先側縦フレーム５、中縦フレーム５´、耐火芯材７Ｅ、７Ｆ、第１錠２４の下面、第３錠２６の上面に囲まれた空間に設けられる。ブロック１４Ｃの上面は第１錠ケース２４０の下面に当接しており、ブロック１４Ｃの下面は、第３錠ケース２６０の上面に当接しており、ブロック１４Ｃの第１見付面１４０は、耐火芯材７Ｅの見付面に当接しており、ブロック１４Ｃの第２見付面１４１は、耐火芯材７Ｆの見付面に当接しており、ブロック１４Ｃの戸先側見込面１４４は、ロックウールＲＷ６が充填された戸先側縦フレーム５の戸尻側見込面に当接しており、ブロック１４Ｃの戸尻側見込面１４５は、耐火芯材７Ｅ、７Ｆの戸尻側端面と共に、吸熱層ａ１６を介してブロック９Ｄの戸先側見込面に当接する。
【００７７】
ブロック１４Ｄは、扉体２の戸先側部位（錠前に対応する見付幅）の内部空間において、下フレーム４、戸先側縦フレーム５、中縦フレーム５´耐火芯材７Ｅ、７Ｆ、第３錠２６の下面に囲まれた空間に設けられる。ブロック１４Ｄの上面は第３錠ケース２６０の下面に当接しており、ブロック１４Ｄの下面は、耐火芯材７Ｅ、７Ｆの下面と面一となっており、耐火芯材７Ｅ、７Ｆの下面と共にブロック９Ｂの上面に当接しており、ブロック１４Ｄの第１見付面１４０は、耐火芯材７Ｅの見付面に当接しており、ブロック１４Ｄの第２見付面１４１は、耐火芯材７Ｆの見付面に当接しており、ブロック１４Ｄの戸先側見込面１４４は、ロックウールＲＷ６が充填された戸先側縦フレーム５の戸尻側見込面に当接しており、ブロック１４Ｄの戸尻側見込面１４５は、耐火芯材７Ｅ、７Ｆの戸尻側端面と共に、吸熱層ａ１６を介してブロック９Ｄの戸先側見込面に当接する。
【００７８】
［Ｇ］扉体の製造方法
扉体２の製造方法について説明する。第１表面材２０、第２表面材２１、ブロック８Ａ〜８Ｄ、ブロック９Ａ〜９Ｅ、ブロック１４Ａ〜１４Ｄ、戸先側縦フレーム５、耐火芯材７Ｅ、７Ｆ、第１錠２４、第２錠２５、第３錠２６及びロッド（図示せず）からなる錠前を用意する。
【００７９】
吸熱塗料が外面に塗布された板状のロックウールＲＷ１〜ＲＷ３を張り合わせることで、ブロック８Ａ〜８Ｄを用意する。ブロック８Ａ〜８Ｄにおいて、板状のロックウールＲＷ１〜ＲＷ３の外面及び境界面には吸熱層ａ１〜ａ１０が形成されている。
【００８０】
上フレーム３、下フレーム４、戸先側縦フレーム５、戸尻側縦フレーム６、中縦フレーム５´、中横フレーム４´の内部空間に、三面に吸熱塗料が塗布されたロックウールＲＷ４〜ＲＷ７、ＲＷ１２、ＲＷ１３を充填することで、内部空間にロックウールＲＷ４〜ＲＷ７、ＲＷ１２、ＲＷ１３が充填された上フレーム３、下フレーム４、戸先側縦フレーム５、戸尻側縦フレーム６、中縦フレーム５´、中横フレーム４´を用意する。上フレーム３、下フレーム４、戸先側縦フレーム５、戸尻側縦フレーム６、中縦フレーム５´、中横フレーム４´の内面とＲＷ４〜ＲＷ７、ＲＷ１２、ＲＷ１３の間には吸熱層ａ１１〜ａ１３が形成されている。
【００８１】
扉体２の組立てに先立って、熱膨張耐火部材１６を、上フレーム３の上面部３２の外面、下フレーム４の下面部４２の外面、戸先側縦フレーム５の見込面部５２の外面、戸尻側縦フレーム６の見込面部６２の外面に貼り付ける。熱膨張耐火部材１６は所定幅で接着層を備えたテープ状の長尺部材である。
【００８２】
ロックウールＲＷ４、ＲＷ５、ＲＷ７、ＲＷ１２、ＲＷ１３が充填された上フレーム３、下フレーム４、戸尻側縦フレーム６、中縦フレーム５´、中横フレーム４´と、耐火芯材７Ａ、７Ｂ、耐火芯材７Ｃ、７Ｄ、耐火芯材７Ｇ、７Ｈ、耐火芯材７Ｉ、７Ｊ、耐火芯材７Ｋ、７Ｌを接着することでブロック９Ａ〜９Ｅを形成しておく。
【００８３】
（１）第１表面材２０の主面部２００を床面等の平らな面に載置する。この時、第１表面材２０の主面部２００の裏面が上方に向き、上辺２０１、下辺２０２、第１側辺２０３、第２側辺２０４が垂直状に立ち上がっている。
【００８４】
（２）第１表面材２０の主面部２００の裏面の周囲にブロック９Ａ、ブロック９Ｂ、ブロック９Ｃ、耐火芯材７Ｅを四周状に載置する。
【００８５】
（３）第１表面材２０の主面部２００の裏面の所定部位に、ブロック９Ｄ、ブロック９Ｅを載置する。
【００８６】
（４）第１表面材２０の主面部２００の裏面において、ブロック９Ａ、ブロック９Ｃ、ブロック９Ｄ、ブロック９Ｅで囲まれた領域にブロック８Ａを載置し、上下のブロック９Ｅ、ブロック９Ｃ、ブロック９Ｄで囲まれた領域にブロック８Ｂを載置し、上下のブロック９Ｅ、ブロック９Ｃ、ブロック９Ｄで囲まれた領域にブロック８Ｃを載置し、ブロック９Ｅ、ブロック９Ｃ、ブロック９Ｄ、ブロック９Ｂで囲まれた領域にブロック８Ｄを載置する。
【００８７】
（５）耐火芯材７Ｅに対して、戸先側縦フレーム５を載置する。戸先側縦フレーム５の所定位置に第１錠２４、第２錠２５、第３錠２６を設け、ブロック９Ａと第２錠２５の間にブロック１４Ａを設け、第１錠２４と第２錠２５の間にブロック１４Ｂを設け、第１錠２４と第３錠２６の間にブロック１４Ｃ設け、第３錠とブロック９Ｂの間にブロック１４Ｄを設ける。ブロック１４Ｂ、１４Ｃにロッドをセットする。
【００８８】
（６）扉体の戸先側部位の戸先側縦フレーム５及びブロック１４Ａ〜１４Ｄの上に、耐火芯材７Ｆを載置する。
【００８９】
（７）第１表面材２０の上辺２０１と上フレーム３の上面部３２間に熱膨張耐火部材１６を挟んだ状態で、螺子１７を用いて上辺２０１を上面部３２に固定する。第１表面材２０の下辺２０２と下フレーム４の下面部４２間に熱膨張耐火部材１６を挟んだ状態で、螺子１７を用いて下辺２０２を下面部４２に固定する。第１表面材２０の第１側辺２０３と戸先側縦フレーム５の見込面部５２間に熱膨張耐火部材１６を挟んだ状態で、螺子１７を用いて第１側辺２０３を見込面部５２に固定する。第１表面材２０の第２側辺２０４と戸尻側縦フレーム６の見込面部６２間に熱膨張耐火部材１６を挟んだ状態で、螺子１７を用いて第２側辺２０４を見込面部６２に固定する。このビス固定は、ブロック９Ａ、ブロック９Ｂ、ブロック９Ｃ、戸先側縦フレーム５の四周を設置した時点で行ってもよい。
【００９０】
（８）第２表面材２１を被せる。第２表面材２１の主面部２１０の裏面が、ブロック９Ａ、ブロック９Ｂ、ブロック９Ｃ、ブロック９Ｄ、ブロック９Ｅ、ブロック８Ａ〜８Ｄ、耐火芯材７Ｆの見付面に当接し、上辺２１１、下辺２１２、第１側辺２１３、第２側辺２１４の内面が、ブロック９Ａ、ブロック９Ｂ、ブロック９Ｃの見込面、耐火芯材７Ｆの戸先側端面に当接ないし近接する。
【００９１】
（９）第２表面材２１の上辺２１１と上フレーム３の上面部３２間に熱膨張耐火部材１６を挟んだ状態で、螺子１７を用いて上辺２１１を上面部３２に固定する。第２表面材２１の下辺２１２と下フレーム４の下面部４２間に熱膨張耐火部材１６を挟んだ状態で、螺子１７を用いて下辺２１２を下面部４２に固定する。第２表面材２１の第１側辺２１３と戸先側縦フレーム５の見込面部５２間に熱膨張耐火部材１６を挟んだ状態で、螺子１７を用いて第１側辺２１３を見込面部５２に固定する。第２表面材２１の第２側辺２１４と戸尻側縦フレーム６の見込面部６２間に熱膨張耐火部材１６を挟んだ状態で、螺子１７を用いて第２側辺２１４を見込面部６２に固定する。
【００９２】
このように、扉体２は、第１表面材２０、第２表面材２１、ブロック８Ａ〜８Ｄ、ブロック９Ａ〜９Ｅ、ブロック１４Ａ〜１４Ｄ、戸先側縦フレーム５、耐火芯材７Ｅ、７Ｆ、第１錠２４、第２錠２５、第３錠２６及びロッド（図示せず）からなる錠前を組み立てることで製造されるが、各工程の順序は上記の順序に限定されるものではなく、一部の工程の順序を入れ替えてもよいことが当業者に理解される。また、各工程において、各要素が当接する面同士を適宜接着剤等で接着してもよいことが、当業者に理解される。本実施形態では、ブロック８Ａ〜８Ｄ、ブロック９Ａ〜９Ｅ、ブロック１４Ａ〜１４Ｄを用意することで、組立時の作業効率を向上させているが、これらのブロックを用意せずに各要素を組み立てて扉体２を製造してもよい。
【００９３】
［Ｈ］ドア装置の防火構造
このように組み立てられた扉体２において、第１見付面２００の内面には、ブロック９Ａ〜９Ｅの耐火芯材７Ａ、７Ｃ、７Ｇ、７Ｉ、７Ｋの見付面、ブロック８Ａ〜８Ｄの吸熱層ａ１が当接しており、第２見付面２１０の内面には、ブロック９Ａ〜９Ｅの耐火芯材７Ｂ、７Ｄ、７Ｈ、７Ｊ、７Ｌの見付面、ブロック８Ａ〜８Ｄの吸熱層ａ２が当接している。既述のように、ブロック８Ａ〜８ＤはロックウールＲＷ１〜ＲＷ３の多層構造となっており、各層の境界には吸熱層ａ３、ａ４、吸熱層ａ５、ａ６が形成されている。また、以下に述べるように、各要素の当接面に吸熱層を形成して要素間の熱伝達効率を下げることで、加熱面側から非加熱面側へ扉体を伝わって熱が伝達されることを抑制する。
【００９４】
上側のブロック９Ａの下面の戸先側部位には、戸先側縦フレーム５の上端面、耐火芯材７Ｅ、７Ｆの上端面、ブロック１４Ａの上面、ブロック９Ｄの上面が当接し、ブロック９Ａの下面の戸尻側部位には、ブロック９Ｃの上面が当接し、ブロック９Ａの下面には、ブロック８Ａの上面が吸熱層ａ７を介して当接している。ブロック９Ａを形成する上フレーム３の内部空間には、吸熱層ａ１１〜ａ１３を介してロックウールＲＷ４が充填されている。
【００９５】
下側のブロック９Ｂの上面の戸先側部位には、戸先側縦フレーム５の下端面、耐火芯材７Ｅ、７Ｆの下端面、ブロック１４Ｄの下面、ブロック９Ｄの下面が当接し、ブロック９Ｂの上面の戸尻側部位には、ブロック９Ｃの下面が当接し、ブロック９Ｂの上面には、ブロック８Ｄの下面が吸熱層ａ８を介して当接している。ブロック９Ｂを形成する下フレーム４の内部空間には、吸熱層ａ１１〜ａ１３を介してロックウールＲＷ５が充填されている。
【００９６】
戸尻側のブロック９Ｃの戸先側見込面には、ブロック８Ａ〜８Ｄの戸尻側見込面が吸熱層ａ１０を介して当接しており、また、ブロック９Ｅの戸尻側端面が当接している。ブロック９Ｃを形成する上フレーム３の内部空間には、吸熱層ａ１１〜ａ１３を介してロックウールＲＷ７が充填されている。ブロック９Ｅを形成する中横フレーム４´の内部空間には、吸熱層ａ１１〜ａ１３を介してロックウールＲＷ１３が充填されている。
【００９７】
ブロック９Ｄの戸尻側見込面には、ブロック８Ａ〜８Ｄの戸先側見込面が吸熱層ａ９を介して当接しており、また、ブロック９Ｅの戸先側端面が当接している。ブロック９Ｄの戸先側見込面には、ブロック１４Ａ〜１４Ｄの戸尻側見込面、耐火芯材７Ｅ、７Ｆの戸尻側端面が、吸熱層ａ１６を介して当接している。ブロック９Ｄを形成する中縦フレーム５´の内部空間には、吸熱層ａ１１〜ａ１３を介してロックウールＲＷ１２が充填されている。
【００９８】
ロックウールＲＷ６が充填された戸先側縦フレーム５の戸尻側見込面は、ブロック１４Ａ〜１４Ｄの戸先側見込面が当接しており、戸先側縦フレーム５の第１見付面部５０には耐火芯材７Ｅが当接し、第２見付面部５１には耐火芯材７Ｆが当接されている。
【００９９】
本実施形態において、扉体２の構成要素である第１表面材２０、第２表面材２１、ブロック８Ａ〜８Ｄ、ブロック９Ａ〜９Ｅ、ブロック１４Ａ〜１４Ｄ、戸先側縦フレーム５、耐火芯材７Ｅ、７Ｆは、要素同士が適宜当接ないし接触することで扉体２が構成されているが、扉体２の遮熱性能に影響を与えない程度に近接していても良い場合があることが当業者に理解され、その場合には、「当接」、「接触」を「近接」に置き換えることができる。
【０１００】
また、扉体２の全閉姿勢時に火災が発生した場合には、扉体２の見込面に四周状に設けた熱膨張耐火部材１６が発泡して膨張することで、扉体２の上面、戸先側見込面、戸尻側見込面と、ドア枠１の上枠１０、戸先側縦枠１２、戸尻側縦枠１３の見込面との間の隙間を塞いで、屋内外の炎や煙の流れを防ぐようになっている。
【符号の説明】
【０１０１】
１  ドア枠
２  扉体
２０  第１表面材
２００  主面部、第１見付面
２１  第２表面材
２１０  主面部、第２見付面
２４  第１錠
２５  第２錠
２６  第３錠
３  上フレーム
４  下フレーム
５  戸先側縦フレーム
６  戸尻側縦フレーム
４´  中横フレーム
５´  中縦フレーム
７Ａ〜７Ｌ  第３耐火芯材（外側耐火芯材）
７Ｅ´、７Ｆ´  耐火芯材（戸先側の外側耐火芯材、第４耐火芯材）
８（８Ａ〜８Ｄ）  ブロック（第１耐火芯材）、主耐火芯材
９Ａ〜９Ｅ  ブロック
１４Ａ〜１４Ｄ  ブロック（第４耐火芯材）
ＲＷ１〜ＲＷ３  ロックウール（第１耐火芯材）、主耐火芯材、板状の耐火材
ＲＷ４〜ＲＷ７、ＲＷ１２、ＲＷ１３  ロックウール（内側耐火芯材、第２耐火芯材）
ＲＷ８〜ＲＷ１１  ロックウール（第４耐火芯材）
ａ１〜ａ１５  吸熱層
【図１】
2020159123.tif 000003
【図２】
2020159123.tif 000004
【図３】
2020159123.tif 000005
【図４】
2020159123.tif 000006
【図４Ａ】
2020159123.tif 000007
【図５】
2020159123.tif 000008
【図６】
2020159123.tif 000009
【図７】
2020159123.tif 000010
【図８】
2020159123.tif 000011
【図９】
2020159123.tif 000012